(57)【要約】      （修正有）【課題】断熱キャビネットの左右側壁が変形することを防止する冷蔵庫を提供する。【解決手段】冷蔵庫は、キャビネット外面を構成する外板と庫内内面を構成する内板との間に断熱パネルを介在させて構成され、前面が開口する箱形の断熱キャビネット２と、前記断熱キャビネットの左側壁及び右側壁の前面開口縁部に設けた縦補強部材５１と、前記両縦補強部材に連結された上部補強部材５２とを備えている。【選択図】図８
2015158357.tif 000002
【特許請求の範囲】
【請求項１】
キャビネット外面を構成する外板と庫内内面を構成する内板との間に断熱パネルを介在させて構成され、前面が開口する箱形の断熱キャビネットと、
前記断熱キャビネットの左側壁及び右側壁の前面開口縁部に設けた縦補強部材と、
前記両縦補強部材に連結された上部補強部材とを備えたことを特徴とする冷蔵庫。
【請求項２】
前記左側壁及び右側壁の外板は、前記断熱キャビネットの前面開口縁部において前記断熱パネル前端及び前記内板前端よりも前側に突出して横断面が略コ字状をなすコ字状部を有し、
前記縦補強部材は、横断面が略コ字状をなし、前記左側壁及び右側壁の各外板の前記コ字状部の内面に嵌合する形態で当該各外板と連結されていることを特徴とする請求項１に記載の冷蔵庫。
【請求項３】
前記縦補強部材は前記内板に対して非連結状態であることを特徴とする請求項１又は２に記載の冷蔵庫。
【請求項４】
前記断熱キャビネットには上下一対のヒンジ部材により支持される回転扉を一つ又は複数備え、
前記一対のヒンジ部材の一方が前記断熱キャビネットの左側壁又は右側壁に設けられ、他方が前記断熱キャビネットの上壁又は下壁に設けられていることを特徴とする請求項１から３のいずれか一項に記載の冷蔵庫。
【請求項５】
前記左側壁又は右側壁に設けられる前記ヒンジ部材は、その一部が前記縦補強部材に締結されていることを特徴とする請求項４に記載の冷蔵庫。
【請求項６】
前記縦補強部材の裏面に補強当て部材を備え、
前記左側壁又は右側壁に設けられる前記ヒンジ部材は、その一部が前記補強当て部材を介して前記縦補強部材に締結されていることを特徴とする請求項５に記載の冷蔵庫。
【請求項７】
前記断熱キャビネットには上下一対のヒンジ部材により支持される回転扉を一つ又は複数備え、
前記一対のヒンジ部材の一方が前記断熱キャビネットの上壁に設けられ、他方が前記断熱キャビネットの下壁に設けられている特徴とする請求項１から３のいずれか一項に記載の冷蔵庫。
【請求項８】
前記断熱キャビネットは、引き出し式の扉によって開閉される貯蔵室を複数備え、
前記複数の貯蔵室のうち容積が大きい貯蔵室をそれ以外の貯蔵室より下方に設けたことを特徴とする請求項１から７のいずれか一項に記載の冷蔵庫。
【請求項９】
前記断熱キャビネットの上壁後部にコンプレッサを備え、
前記縦補強部材は、前記コンプレッサよりも前の部分に位置することを特徴とする請求項１から８のいずれか一項に記載の冷蔵庫。
【発明の詳細な説明】
【技術分野】
【０００１】
本発明の実施形態は、冷蔵庫に関する。
【背景技術】
【０００２】
冷蔵庫の本体である断熱キャビネットは、外側面を構成する外板と庫内内面を構成する内板との間に断熱パネルを介在させて、全体としてほぼ箱状に構成されている。
【先行技術文献】
【特許文献】
【０００３】
【特許文献１】特開平４−２６０７８０号公報
【特許文献２】特開平６−１４７７４４号公報
【発明の概要】
【発明が解決しようとする課題】
【０００４】
真空断熱パネルなどの断熱性能の高い断熱パネルを用いた断熱キャビネットでは、断熱性能が良く、断熱キャビネットの厚みの薄肉化が可能である。ここで、当該断熱キャビネットは前面を開口した矩形箱状に構成されるが、上記断熱キャビネットの薄肉化を図った場合に、断熱キャビネットの左右側壁において後部は、後壁に一体もしくは連結されているから強度的に十分であるが、前面開口部は強度が若干劣り、左右側壁が変形するおそれがある。
【０００５】
そこで、断熱キャビネットの左右側壁が変形することを防止できる冷蔵庫を提供する。
【課題を解決するための手段】
【０００６】
実施形態の冷蔵庫は、キャビネット外面を構成する外板と庫内内面を構成する内板との間に断熱パネルを介在させて構成され、前面が開口する箱形の断熱キャビネットと、前記断熱キャビネットの左側壁及び右側壁の前面開口縁部に設けた縦補強部材と、前記両縦補強部材に連結された上部補強部材とを備えたことを特徴とする。
【図面の簡単な説明】
【０００７】
【図１】第１実施形態による冷蔵庫の斜視図
【図２】断熱キャビネットを上方から見た斜視図
【図３】断熱キャビネットを下方から見た斜視図
【図４】断熱キャビネットの分解斜視図
【図５】左側壁用断熱パネルの分解斜視図
【図６】断熱キャビネットの横断平面図
【図７】左側壁用断熱パネル及び天井壁用断熱パネルのコーナー部の縦断正面図
【図８】縦補強部材及び上部補強部材を図示したヒンジ部材取付前における断熱キャビネットの斜視図
【図９】上部補強部材を分離した状態での前仕切部材取付前における断熱キャビネットの斜視図
【図１０】左側壁用断熱パネルの前部分の横断平面図
【図１１】図１０とは異なる部分での左側壁用断熱パネルの前部分の横断平面図
【図１２】ヒンジ部材部分の正面図
【図１３】図１２の切断線Ｘ１３−Ｘ１３による横断平面図
【図１４】図２の切断線Ｘ１４−Ｘ１４による横断平面図
【図１５】図１４の切断線Ｘ１５−Ｘ１５による縦断側面図
【図１６】図２の切断線Ｘ１６−Ｘ１６による縦断側面図
【図１７】棚受部材部分の斜視図
【図１８】左側壁用断熱パネルにおける冷蔵室底板用取付部材部分の縦断側面図
【図１９】橋架状補強部材を分離した状態での冷蔵室底板用取付部材部分の斜視図
【図２０】左側壁用断熱パネルにおける第１のレール用取付部材部分の縦断側面図
【図２１】第１のレール用取付部材にレールを取り付けた状態での縦断側面図
【図２２】仕切壁用取付部材部分の斜視図
【図２３】左側壁用断熱パネルにおける仕切壁用取付部材部分の縦断側面図
【図２４】第２実施形態を示す左側壁用断熱パネル、底壁用断熱パネル及び右側壁用断熱パネルの縦断正面図
【発明を実施するための形態】
【０００８】
第１実施形態について図１ないし図２３を参照して説明する。図１には第１実施形態の冷蔵庫１の外観が示され、図２及び図３には冷蔵庫１の断熱キャビネット２の外観が示されている。断熱キャビネット２の内部には、上から順に冷蔵室３、野菜室４が設けられ、この野菜室４の下方に製氷室５と小冷凍室６が左右に並べて設けられ、最下部に主冷凍室７が設けられている。
【０００９】
これら冷蔵室３、野菜室４、製氷室５、小冷凍室６、及び主冷凍室７は、それぞれ貯蔵室を形成している。このうち、冷蔵室３及び野菜室４は、庫内温度が例えば１℃〜５℃程度の冷蔵温度に制御される。このように冷蔵室３及び野菜室４は、いずれも冷蔵温度帯例えば０℃〜１０℃の貯蔵室であることから、この冷蔵室３及び野菜室４間では有る程度の断熱性を確保できれば良く、例えば合成樹脂製の冷蔵室底板８（板部材に相当）によって仕切られている。製氷室５、小冷凍室６、及び主冷凍室７は、庫内温度が例えば冷凍温度帯例えば−１８℃以下の冷凍温度に制御されるもので、冷凍温度帯の貯蔵室である。冷蔵温度帯の野菜室４と、冷凍温度帯の製氷室５及び小冷凍室６との間は、相互間の熱リークを極力防止するために断熱性を有する断熱仕切壁９によって上下に仕切られている。上記冷蔵室底板８は冷蔵室の底板を構成しており、貯蔵品が載置される。
【００１０】
図２及び図３に示すように断熱キャビネット２の前部において、前記冷蔵室底板８の前方に位置させて横方向に延びる前仕切部材１０が設けられ、前記断熱仕切壁９の前方に位置させて横方向に延びる前仕切部材１１が設けられている。また、断熱キャビネット２の前部において、製氷室５と小冷凍室６との間に位置させて上下方向に延びる前仕切部材１２が設けられ、製氷室５及び小冷凍室６と主冷凍室７との間に位置させて横方向に延びる前仕切部材１３が設けられている。
【００１１】
冷蔵室３は、前面が左右の回転扉１５、１６によって開閉される。左の回転扉１５は、図２及び図３に示すように、上下一対のヒンジ部材１７ａ、１７ｂによって回転可能に支持されている。すなわち、一方のヒンジ部材１７ｂは後述する左側壁用断熱パネル２６の前縁の略上下中間部に設けられ、他方のヒンジ部材１７ａは、断熱キャビネット２の開口の左側前縁のうち上壁である後述する天井壁用断熱パネル２８の前縁左部に設けられている。前記ヒンジ部材１７ａは下向きに突出するヒンジ軸１７ａｊを備え、ヒンジ部材１７ｂは上向きに突出するヒンジ軸１７ｂｊを備えており、これらヒンジ軸１７ａｊ、１７ｂｊにより回転扉１５が枢支されている。
【００１２】
又、右の回転扉１６は、同じく図２及び図３に示すように、上下一対のヒンジ部材１８ａ、１８ｂによって回転可能に支持されている。すなわち、一方のヒンジ部材１８ｂは後述する右側壁用断熱パネル２７の前縁の上下略中間部に設けられ、他方のヒンジ部材１８ｂは、断熱キャビネット２の開口の右側前縁のうち上壁である天井壁用断熱パネル２８の前縁右部に設けられている。前記ヒンジ部材１８ａは下向きに突出するヒンジ軸１８ａｊを備え、ヒンジ部材１８ｂは上向きに突出するヒンジ軸１８ｂｊを備えており、これらヒンジ軸１８ａｊ、１８ｂｊにより回転扉１６が枢支されている。
【００１３】
これら回転扉１５、１６は夫々ヒンジ部材１７ａ、１７ｂ、１８ａ、１８ｂを中心に前後方向に回動される観音開き式である。
野菜室４は、前面が引き出し式の扉１９によって開閉される。その扉１９の裏側には、図示しない野菜収納容器が設けられている。製氷室５は、前面が引き出し式の扉２０によって開閉される。製氷室５には図示しない製氷装置が設けられ、扉２０の裏側には、図示しない氷収納容器が設けられている。小冷凍室６は、前面が引き出し式の扉２１によって開閉される。その扉２１の裏側には、図示しない収納容器が設けられている。主冷凍室７も、前面が引き出し式の扉２２によって開閉される。その扉２２の裏側には、図示しない収納容器が設けられている。
【００１４】
上記引き出し式の扉１９、２０、２１、２２で開閉される貯蔵室である野菜室４、製氷室５、小冷凍室６、主冷凍室７のうち、容積の大きい主冷凍室７を、他の貯蔵室この場合野菜室４、製氷室５及び小冷凍室６よりも下方に設けている。
【００１５】
前記断熱キャビネット２は、図４に示すように、いずれも断熱壁に相当する、後壁を形成する後壁用断熱パネル２５と、左側壁を形成する左側壁用断熱パネル２６と、右側壁を形成する右側壁用断熱パネル２７と、上壁を形成する天井壁用断熱パネル２８と、底壁を形成する底壁用断熱パネル２９とを組み合わせることによって、前面が開口した箱状に構成されている。
【００１６】
これら断熱パネル２５〜２９はいずれも真空断熱パネルを有して構成されている。前記後壁用断熱パネル２５、左側壁用断熱パネル２６及び右側壁用断熱パネル２７の基本的な概略構成は同様であるので、左側壁用断熱パネル２６を代表して説明する。図５に示すように、左側壁用断熱パネル２６は、外箱用の金属板製の外板３０Ｂと、内箱用の合成樹脂製の例えばシート部材からなる内板３１Ｂと、これら外板３０Ｂと内板３１Ｂとの間に挟まれた状態で配置される（介在する）断熱材としてパネル状の真空断熱パネル３２とから構成されている。
【００１７】
前記左側壁用断熱パネル２６の内板３１Ｂには、図５に示すように、棚受部材４０、冷蔵室底板用取付部材４１、第１のレール用取付部材４２、仕切壁用取付部材４３、第２のレール用取付部材４４、支持具６５が取り付けられており、これらを一体に備えた状態で、前記真空断熱パネル３２に接着されるものである。
【００１８】
真空断熱パネル３２は、図７、図１６、図１８に示すように、一面を内板３１Ｂの裏面に図示しない接着剤により接着固定すると共に、前記一面とは反対側の他面を外板３０Ｂの内面に図示しない接着剤により接着固定することにより、内板３１Ｂと外板３０Ｂとの間に挟み込まれた状態となっている。
【００１９】
真空断熱パネル３２は、図１６、図１８に示すように、ガラスウールなどのコア材３５と、ガスバリア性を有する包装材３８とから構成されている。真空断熱パネル３２は、コア材３５を包装材３８内に収容し、この状態で包装材３８内を真空引きすることによってパネル状（板状）に製造される。
【００２０】
なお、左側壁用断熱パネル２６の内板３１Ｂと対向する右側壁用断熱パネル２７の内板３１Ｃ（内板３１Ｂ及び内板３１Ｃが対向する一対の内板に相当）にも、図示はしないが、左側壁用断熱パネル２６の前記棚受部材４０と、冷蔵室底板用取付部材４１と、第１のレール用取付部材４２と、仕切壁用取付部材４３と、第２のレール用取付部材４４と対向するように、棚受部材４０と、冷蔵室底板用取付部材４１と、第１のレール用取付部材４２と、仕切壁用取付部材４３と、第２のレール用取付部材４４、支持具６５が設けられている。これら各部材４０〜４４、６５の取り付け構成については後述する。又、図６に示すように、後壁用断熱パネル２５も、左側壁用断熱パネル２６と同様に、外板３０Ａと内板３１Ａとの間に真空断熱パネル３２を介在させた構成である。
【００２１】
又、天井壁用断熱パネル２８は、図７に示すように、金属板からなる外板３０Ｄと、合成樹脂の一体成形品である内板３１Ｄと、発泡ウレタンに比べて断熱性能が高い（熱伝導率が低い）前述の真空断熱パネル３２と、断熱材である発泡ウレタン３３とを有して構成されている。この場合、内板３１Ｄの裏面に真空断熱パネル３２を接着により接合し、この真空断熱パネル３２と外板３０Ｄとの間に発泡ウレタン３３を充填している。この天井壁用断熱パネル２８は、図１に示すように、後方上部にＬ状に凹む機械室２８ｋを有しており、この機械室２８ｋには冷凍サイクルのコンプレッサ３６が収容配置されている。
【００２２】
なお、底壁用断熱パネル２９も前記天井壁用断熱パネル２８とは形状は異なるが、当該天井壁用断熱パネル２８同様、外板３０Ｅと内板３１Ｅとの間に上述の真空断熱パネルと発泡ウレタンとを設けた構成である。前記外板３０Ａ〜３０Ｅは断熱キャビネット２の外面（キャビネット外面）を構成し、前記内板３１Ａ〜３１Ｂは断熱キャビネット２の庫内内面を構成する。
【００２３】
図６に示すように、後壁用断熱パネル２５と左側壁用断熱パネル２６とは、左後部のコーナー部において連結部に相当する固定具２３Ａや図示しないねじ等を用いて連結固定されている。また、後壁用断熱パネル２５と右側壁用断熱パネル２７とは、右後部のコーナー部において前記固定具２３Ａと同様の固定具２３Ｂやねじ等を用いて連結固定されている。このコーナー部には、適宜発泡スチロールやソフトテープ（スポンジテープ）などの断熱材３４ａ〜３４ｃが挿入配置されている。又、天井壁用断熱パネル２８及び底壁用断熱パネル２９も適宜これら各断熱パネル２５〜２７と連結固定されている。さらに、左側壁用断熱パネル２６の前部と右側壁用断熱パネル２７の前部とは、前記前仕切部材１０、１１、１２、１３によって連結されている。
【００２４】
図８及び図９に示すように、断熱キャビネット２の前面開口縁部のうち、左右前縁部（左側壁用断熱パネル２６の前縁部及び右側壁用断熱パネル２７の前縁部）は、縦補強部材５１、５１により補強されており、さらに上部前縁から左右前縁にかけては、上部補強部材５２により補強されている。なお、この図８及び図９には、各部材４０〜４４、６５は、図面の煩雑さを避けるため、図示を省略している。
【００２５】
前記左右の縦補強部材５１は左右対称形であるので、左側の縦補強部材５１について説明する。この縦補強部材５１は左側壁用断熱パネル２６の上下方向長さと略同等の長さに設定されており、その断面形状は、図１１に示すように、外側板部５１ａ、中間板部５１ｂ、内側板部５１ｃを有して横断面がコ字状をなす。ただし、この縦補強部材５１の一部（前仕切部材１０、１１、１３との接合部）においては、図１３及び図１４に示すように、前記内側板部５１ｃが切除されたＬ状をなす。
【００２６】
この縦補強部材５１は、図１０に示すように、左側壁用断熱パネル２６の前縁部に上方から（あるいは下方から）挿入配置されている。この左側壁用断熱パネル２６の前縁部においては、外板３０Ｂの前部には、コ字状部３０ｂが形成されている。すなわち、このコ字状部３０ｂは、外板３０Ｂの主板部３０ａよりも若干外側に膨出して真空断熱パネル３２と離間し且つ内板３１Ｂよりも前方へ突出する外側膨出部３０ｂ１と、この外側膨出部３０ｂ１の前端より内向きに屈曲する中間部３０ｂ２と、この中間部３０ｂ２の内側端より後方へ屈曲するＬ状の内側延出部３０ｂ３とを有して、略コ字状をなす。
【００２７】
このコ字状部３０ｂの内面に前記縦補強部材５１が嵌合する形態で挿入配置されて、接着やねじ止めにより外板３０Ｂと連結されている。又、前記縦補強部材５１は前記内板３１Ｂに対して離間しており、もって当該内板３１Ｂに対して非連結状態である。
【００２８】
なお、この図１０において、真空断熱パネル３２と外側膨出部３０ｂ１との間には冷凍サイクルの放熱パイプ５３が配設され、また、内板３１Ｂと外板３０Ｂのコ字状部３０ｂとの間にはこの間をシールする合成樹脂製のシール部材５４が配設されており、このシール部材５４には、断熱キャビネット２前面の結露を防止する防露パイプ５５（これは放熱パイプからなる）を固定するパイプホルダ部５４ａが形成されている。なお、前記放熱パイプ５３は図６に示すように左側壁用断熱パネル２６及び右側壁用断熱パネル２７の後部にも配設されている。又、この外板３０Ｂの前部３０ａ内には、例えばソフトテープからなる断熱材３７、３７が挿入配置されている。
【００２９】
前記上部補強部材５２は、図８、図９に示すように、中間板部５２ａとその両端部から直角をなして垂下状態に連結された左板部５２ｂと右板部５２ｃとから構成されており、左右板部５２ｂ、５２ｃが前記左側壁用断熱パネル２６、右側壁用断熱パネル２７の前部に上方から差し込まれて縦補強部材５１内面に配置固定され（図１１参照）、中間板部５２ａが天井壁用断熱パネル２８の前縁部に配置固定されている。
【００３０】
この場合、比較的重量が重い前記コンプレッサ３６が断熱キャビネット２の後部に存在するのに対して、これら縦補強部材５１及び上部補強部材５２は断熱キャビネット２の前部に存在し、もって、これら縦補強部材５１及び上部補強部材５２が断熱キャビネット２における前後の重量の均等化に寄与している。
【００３１】
前記断熱キャビネット２の左側壁用断熱パネル２６と前記前仕切部材１０との接合部分には、図１２及び図１３に示すように、前記ヒンジ部材１７ｂが取り付けられており、又、右側壁用断熱パネル２７と前仕切部材１０との接合部分には前記ヒンジ部材１８ｂ（図２参照）が取り付けられている。各ヒンジ部材１７ｂ、１８ｂの取り付け構成は、左右対称であるので、ヒンジ部材１７ｂ部分について説明する。縦補強部材５１は、当該前仕切部材１０との接合部においては、既述したように図１０に示した前記内側板部５１ｃが切除されたＬ状をなす。さらに同じく図１０に示した外板３０Ｂの内側延出部３０ｂ３も切除されている。
【００３２】
前記左側の縦補強部材５１裏面と前記前仕切部材１０裏面とにかけて、補強当て部材５６が配置固定されており、さらに、前記ヒンジ部材１７ｂが、左側壁用断熱パネル２６前面及び前仕切部材１０前面にかけて配置固定されている。すなわち、前記ヒンジ部材１７ｂには、例えば３つのねじ挿通孔部１７ｂ１、１７ｂ２、１７ｂ３が形成され、又、外板３０Ｂの中間部３０ｂ２にねじ挿通孔部３０ｎが形成され、さらに、縦補強部材５１の中間板部５１ｂにもねじ挿通孔部５１ｂ１が形成されている。
【００３３】
さらに前記補強当て部材５６には、３つのねじ螺合孔部（これは雌ねじ部、タッピング用孔部を含む）５６ａ〜５６ｃが形成されていると共に、皿状の凹み部５６ｄが形成され、この凹み部５６ｄの底部にねじ挿通孔部５６ｅが形成されている。さらに前記前仕切部材１０にはねじ挿通孔部１０ａ、１０ｂが形成されている。
【００３４】
そして、前記補強当て部材５６を縦補強部材５１及び前仕切部材１０の裏側に配置すると共に、ヒンジ部材１７ｂを外板３０Ｂの中間部３０ｂ２の前面及び前仕切部材１０の前面に配置し、ヒンジ部材１７ｂのねじ挿通孔部１７ｂ１、外板３０Ｂのねじ挿通孔部３０ｎ及び縦補強部材５１のねじ挿通孔部５１ｂ１を通したねじ５７ａを補強当て部材５６のねじ螺合孔部５６ａにねじ締めし、ヒンジ部材１７ｂのねじ挿通孔部１７ｂ２、前仕切部材１０のねじ挿通孔部１０ａを通したねじ５７ｂを補強当て部材５６のねじ螺合孔部５６ｂにねじ締めし、そして、ヒンジ部材１７ｂのねじ挿通孔部１７ｂ３、前仕切部材１０のねじ挿通孔部１０ｂを通したねじ５７ｃを補強当て部材５６のねじ螺合孔部５６ｃにねじ締めする。このように、前記左側壁用断熱パネル２６に設けられるところのヒンジ部材１７ｂは、その一部が前記縦補強部材５１に締結されている。この場合、このヒンジ部材１７ｂは、その一部が前記補強当て部材５６を介して前記縦補強部材５１に締結されている。このヒンジ部材１７ｂは前仕切部材１０と左側壁用断熱パネル２６との接合部分に配置固定されている。
【００３５】
なお、前記ヒンジ部材１８ｂも、同様にして前記仕切部材１０と右側壁用断熱パネル２７との接合部分に配置固定されている。
なお、上側のヒンジ部材１７ａ及び１８ａは、断熱キャビネット２における天井壁用断熱パネル２８の上部補強部材５２の左右のコーナー部にねじ固定されている。
【００３６】
なお、前仕切部材１０の裏側には、合成樹脂製の仕切裏カバー５８が設けられている。すなわち、この仕切裏カバー５８は、前仕切部材１０の取り付け前において、予め前記補強当て部材５６のねじ挿通孔部５６ｅに通したねじ（皿ねじ）５９により当該補強当て部材５６を介して前仕切部材１０に固定されている。
【００３７】
次に、前仕切部材１１と左側壁用断熱パネル２６との接合部分、前仕切部材１１と右側壁用断熱パネル２７との接合部分とについて説明するが、両部分は左右対称形であるので、前仕切部材１１と左側壁用断熱パネル２６との接合部分について、図１４及び図１５を参照して説明する。すなわち、縦補強部材５１は、当該前仕切部材１１との接合部においては、既述したように図１０に示した前記内側板部５１ｃが切除されたＬ状をなす。さらに外板３０Ｂの図１０に示した内側延出部３０ｂ３も切除されている。そして、縦補強部材５１と補強当て部材６１とにより前仕切部材１１が取り付けられている。
【００３８】
すなわち、外板３０Ｂの中間部３０ｂ２には、ねじ挿通孔部３０ｍが形成され、さらに、縦補強部材５１の中間板部５１ｂにもねじ挿通孔部５１ｂ２が形成されている。
さらに前記補強当て部材６１は前記補強当て板５６と同じ構成であり、３つのねじ螺合孔部６１ａ〜６１ｃが形成されていると共に、皿状の凹み部６１ｄが形成され、この凹み部６１ｄの底部にねじ挿通孔部６１ｅが形成されている。さらに前記前仕切部材１１にはねじ挿通孔部１１ａ、１１ｂが形成されている。
【００３９】
そして、前記補強当て部材６１を縦補強部材５１及び前仕切部材１１の裏側に配置し、外板３０Ｂのねじ挿通孔部３０ｍ及び縦補強部材５１のねじ挿通孔部５１ｂ２を通したねじ６２ａを補強当て部材６１のねじ螺合孔部６１ａにねじ締めし、前仕切部材１１のねじ挿通孔部１１ａを通したねじ６２ｂを補強当て部材６１のねじ螺合孔部６１ｂにねじ締めし、そして、前仕切部材１１のねじ挿通孔部１１ｂを通したねじ６２ｃを補強当て部材６１のねじ螺合孔部６１ｃにねじ締めする。
【００４０】
なお、前仕切部材１１の裏側には、合成樹脂製の仕切裏カバー６３が設けられている。すなわち、この仕切裏カバー６３は、前仕切部材１１の取り付け前において、予め前記補強当て部材６１のねじ挿通孔部６１ｅに通したねじ（皿ねじ）６４により当該補強当て部材６１を介して前仕切部材１１に固定されている。さらに、前記仕切裏カバー６３は、左側壁用断熱パネル２６に設けられた支持具６５により支持されている。
【００４１】
この支持具６５は、突出部６５ａと、この突出部６５ａから上下方向に延出する延出部６５ｂ、６５ｃとを有する。そして、この支持具６５は、左側壁用断熱パネル２６の組み立て前に、その突出部６５ａが内板３１Ｂの孔部３１ｋに裏側から挿入されて表側に突出され、延出部６５ｂ、６５ｃが内板３１Ｂ裏面に接着されている。左側壁用断熱パネル２６の組み立て完成状態では、この延出部６５ｂ、６５ｃは真空断熱パネル３２にも接着され、内板３１Ｂと真空断熱パネル３２とで挟持されている。
【００４２】
前記突出部６５ａには、ねじ挿通孔部６５ｄが形成されており、このねじ挿通孔部６５ｄは、左右方向に若干長い長孔状に形成されている。
一方、前記仕切裏カバー６３の下部には、固定具６５により支持される被支持部６３ａが凹んで形成されている。そして、この被支持部６３ａにはねじ螺合孔部６３ｂが形成されている。又、この仕切裏カバー６３は、左側壁用断熱パネル２６及び右側壁用断熱パネル２７との間には予め隙間Ｇが存するように、その左右長さ寸法が設定されている。つまり、左側壁用断熱パネル２６及び右側壁用断熱パネル２７は、製造時において、断熱キャビネット２は外側幅寸法Ｈｓ（図６参照）を順守するように組み立てられるものであり、そうすると、左側壁用断熱パネル２６及び右側壁用断熱パネル２７の厚み寸法にばらつきが発生すると、内側幅寸法Ｈｕにばらつきが発生する。このばらつきを予め見越しても隙間Ｇが出る長さに設定されている。ただし、この隙間Ｇは僅かであり、仮に左側壁用断熱パネル２６及び右側壁用断熱パネル２７が、冷却時において内外側部の熱収縮率の差によって湾曲しようとした場合でも、大きな湾曲を阻止できる程度に設定している。この隙間Ｇには、ソフトテープなどの断熱材を詰めても良い。
【００４３】
そして、前記仕切裏カバー６３は、その下部が前記支持具６５により支持されて、ねじ挿通孔部６５ｄに通したねじ６６をねじ螺合孔部６３ｂにねじ止めすることにより、当該支持具６５により支持固定されている。
【００４４】
一方、左側壁用断熱パネル２６に設けられた前記棚受部材４０と、冷蔵室底板用取付部材４１と、第１のレール用取付部材４２と、仕切壁用取付部材４３と、第２のレール用取付部材４４について説明する。
【００４５】
前記棚受部材４０は、図１６、図１７に示すように、例えば金属板により形成されたもので、複数例えば上方で左右対をなす突出部４０ａと、下方で左右対をなす突出部４０ｂと、これら突出部４０ａと、突出部４０ｂとを繋ぐと共に上下方向へ延出する延出部４０ｃとを有して構成されている。前記突出部４０ａ、４０ｂは、鉤状をなす。
【００４６】
そして内板３１Ｂには、孔部３１ａ、３１ｂが上下に離れて形成されており、左側壁用断熱パネル２６の組み立て前において、内板３１Ｂの裏面（冷蔵庫の庫内の面を表面としたときの裏面）から、前記突出部４０ａ、４０ｂを孔部３１ａ、３１ｂに挿入して内板３１Ｂ表側へ突出させ、延出部４０ｃを内板３１Ｂ裏面の孔部３１ａ、３１ｂ周辺部に接着している。そして、この延出部４０ｃ及び内板３１Ｂの一体物（図５参照）の裏面と真空断熱パネル３２とを接着している。この左側壁用断熱パネル２６の組み立て完成状態では、この延出部４０ｃは内板３１Ｂと真空断熱パネル３２とで挟持されている（図１６参照）。
【００４７】
この場合、図示しない棚は上記棚受部材４０の鉤状の突出部４０ａ、４０ｂに載せられるものである。
前記冷蔵室底板用取付部材４１は、補強部材取付部を兼用するものであり、図２、図３に示すように、冷蔵室３と野菜室４との間を上下に仕切る冷蔵室底板８（板部材に相当）の下側となる部位に位置させて設けられている。
【００４８】
この冷蔵室底板用取付部材４１は、図１８、図１９に示すように、例えば金属板から全体として前後方向に延びる長尺状に形成されており、突出部としての略水平向き状態の突出部４１ａと、この突出部４１ａから垂下状に延出された延出部４１ｂとを有し、さらにこの延出部４１ｂの下端部に略水平に張り出す係合部４１ｃとを有して構成されている。前記突出部４１ａと延出部４１ｂとはＬ状に連続しており、この冷蔵室底板用取付部材４１は全体として断面コ字状をなす。
【００４９】
突出部４１ａには、長尺方向に沿う（前後方向に延びる）複数のスリット状の連結用孔部である配置孔部４１ｄが形成されていると共に、左右方向に長い長孔からなる連結用孔部であるねじ挿通孔部４１ｅが形成されている。
【００５０】
又、内板３１Ｂには、前記突出部４１ａを内板３１Ｂ裏側から挿入するためのスリット状の孔部３１ｄと、前記係合部４１ｃを同じく内板３１Ｂ裏側から挿入するためのスリット状の孔部３１ｅが形成されている。
【００５１】
前記冷蔵室底板用取付部材４１は、その突出部４１ａ及び係合部４１ｃが、左側壁用断熱パネル２６の組み立て前における内板３１Ｂの前記孔部３１ｄ、３１ｅに裏側から挿入されて表側に突出され、延出部４１ｂが内板３１Ｂ裏面に接着されている。左側壁用断熱パネル２６の組み立て完成状態では、この延出部４１ｂは内板３１Ｂと真空断熱パネル３２とで挟持されている。上記係合部４１ｃと前記孔部３１ｅとの係合により取付強度が向上する。
【００５２】
前記冷蔵室底板用取付部材４１は、左右の内板３１Ｂ、３１Ｃに対向して一対設けられており、この冷蔵室底板用取付部材４１、４１に橋架状補強部材７１の一端部及び他端部が連結されている。すなわち、この橋架状補強部材７１は、例えば、金属板から細長い棒状に形成されており、橋架状補強部材７１の一端部及び他端部が、これら冷蔵室底板用取付部材４１、４１の中央部分のねじ挿通孔部４１ｅに下方から通したねじ７２により、ねじ止めされて連結されている。この場合、ねじ挿通孔部４１ｅが左右方向に長孔であるから、橋架状補強部材７１が左右の冷蔵室底板用取付部材４１に対して連結位置調整可能であり、左側壁用断熱パネル２６及び右側壁用断熱パネル２７の厚みにばらつきがあっても、橋架状補強部材７１を左右の冷蔵室底板用取付部材４１に良好に取り付けることが可能となる。
【００５３】
すなわち、既述したように、製造時において、断熱キャビネット２は外側幅寸法Ｈｓ（図６参照）を順守するように組み立てられるものであり、そうすると、左側壁用断熱パネル２６及び右側壁用断熱パネル２７の厚み寸法にばらつきが発生すると、内側幅寸法Ｈｕにばらつきが発生する。このばらつきを予め見越して、前記ねじ挿通孔部４１ｅが長孔（ねじ７２の径よりも大きな長孔）に形成されている。このねじ挿通孔部４１ｅでの橋架状補強部材７１の位置調整後は、ねじ７２により当該橋架状補強部材７１が冷蔵室底板用取付部材４１に対して強固に連結されるから、前述の湾曲変形は確実に防止できる。
【００５４】
前記冷蔵室底板用取付部材４１の配置孔部４１ｄに、前記冷蔵室底板８の係合突起（図示せず）が上方から係合されて配置固定されている。
この場合、比較的重量が重い前記コンプレッサ３６が断熱キャビネット２の後部に存在するのに対して、この橋架状補強部材７１は断熱キャビネット２の前部に存在し、もって、この橋架状補強部材７１が断熱キャビネット２における前後の重量の均等化に寄与している。
【００５５】
前記第１のレール用取付部材４２は、野菜室４に対応する部位に位置させて前部と後部に設けられている。この第１のレール用取付部材４２について図２０、図２１を参照して説明する。この第１のレール用取付部材４２は、例えば金属板からなり、ほぼ円筒形（椀に近い円筒形）の突出部４２ａと、この突出部４２ａの一端から周囲に延びる延出部４２ｂとを有する構成である。さらに、延出部４２ｂの上部中央１箇所に上向きにＬ状をなす係合部４２ｃが形成され、又下部左右２箇所に、庫内に突出する形態の係合部４２ｄが形成されている。なお、突出部４２ａにはねじ螺合孔部４２ｅを有する。
【００５６】
そして内板３１Ｂには、前記突出部４２ａを挿入し突出させるための孔部３１ｆが形成されていると共に、この孔部３１ｆの上方１箇所に係合孔部３１ｇが形成され、下方２箇所に係合孔部３１ｈが形成されている。
【００５７】
前記第１のレール用取付部材４２を内板３１Ｂに取り付けるについては、左側壁用断熱パネル２６の組み立て前において、内板３１Ｂの裏面から、前記突出部４２ａを前記孔部３１ｆに挿入して内板３１Ｂ表側へ突出させ、上方の係合孔部３１ｇに上方の係合部４２ｃを挿入係合させ、下方の係合孔部３１ｈに下方の係合部４２ｄを挿入係合させ、そして、延出部４２ｂを内板３１Ｂの裏面に接着している。左側壁用断熱パネル２６の組み立て完成状態では、この延出部４２ｂは、真空断熱パネル３２にも接着されており、もって、内板３１Ｂと真空断熱パネル３２とで挟持されている。
【００５８】
前記二つの第１のレール用取付部材４２の突出部４２ａのねじ螺合孔部４２ｅには、図２１に示すように、前後に延びるレール４５がねじ止めされている。このレール４５は、野菜室４の扉１９の裏側に取り付けられる支持枠（図示せず）の前後方向の移動を案内する。
【００５９】
前記仕切壁用取付部材４３は、補強部材取付部を兼用するものであり、前記断熱仕切壁９が設けられる部位の近傍であるこの場合下側に位置させて、前後方向に延びる形態に設けられている。この仕切壁用取付部材４３について、図２２、図２３を参照して説明する。この仕切壁用取付部材４３は、前記冷蔵室底板用取付部材４１と同じ構成としている。すなわち、この仕切壁用取付部材４３は、例えば金属板から全体として前後方向に延びる長尺状に形成されており、突出部としての突出部４３ａと、この突出部４３ａから垂下状に延出された延出部４３ｂとを有し、さらに延出部４３ｂの下端部に係合部４３ｃを有して構成されている。上記突出部４３ａと延出部４３ｂとはＬ状に連続している。
【００６０】
突出部４３ａには、長尺方向に沿う（前後方向に延びる）複数のスリット状の連結用孔部である配置孔部４３ｄが形成されている。
又、内板３１Ｂには、前記突出部４３ａを内板３１Ｂ裏側から挿入するためのスリット状の孔部３１ｉと、前記係合部４３ｂを同じく内板３１Ｂ裏側から挿入するためのスリット状の孔部３１ｊが形成されている。
【００６１】
前記仕切壁用取付部材４３は、その突出部４３ａ及び係合部４３ｃが、左側壁用断熱パネル２６の組み立て前における内板３１Ｂの前記孔部３１ｉ、３１ｊに裏側から挿入されて表側に突出され、延出部４３ｂが内板３１Ｂ裏面に接着されている。左側壁用断熱パネル２６の組み立て完成状態では、この延出部４３ｂは、真空断熱パネル３２にも接着され、内板３１Ｂと真空断熱パネル３２とで挟持されている。上記係合部４３ｃと前記孔部３１ｊとの係合により取付強度が向上する。
【００６２】
そして、図２３に示すように前記断熱仕切壁９（これは橋架状補強部材を兼用する）は、外筐部９ａの内部に発泡ウレタンなどの断熱材９ｂを配設して構成されており、外筐部９ａの両端部下部に突起部９ｃ（片方のみ図示）が形成されている。この突起部９ｃが、左側壁用断熱パネル２６及び右側壁用断熱パネル２７に夫々取り付けられた仕切壁用取付部材４３の配置孔部４３ｄに差し込まれて係合されている。これにより断熱仕切壁９が断熱キャビネット２にその内部を上下に仕切るように配設されている。
【００６３】
この場合、前記断熱仕切壁９の左右長さは、前述したように、前記左側壁用断熱パネル２６及び右側壁用断熱パネル２７の厚み寸法のばらつきを考慮して、隙間Ｇが出る長さに設定されている。又、同様の理由で、この断熱仕切壁９の突起部９ｃの左右幅寸法に対して前記配置孔部４３ｄを左右方向長さをやや大きめに設定している。これにより、断熱仕切壁９も仕切壁用取付部材４３に対して連結位置調整可能である。
【００６４】
前記第２のレール用取付部材４４は、主冷凍室７に対応する部位に位置させて前部と後部とに設けられている。この第２のレール用取付部材４４は、前記第１のレール用取付部材４２と、同様の構成であって、同様にして内板３１Ｂに取り付けられている。
【００６５】
なお、前記隙間Ｇには適宜ソフトテープなどの断熱材を詰めると良い。
上述した実施形態によれば、前面が開口する箱形の断熱キャビネット２を、キャビネット外面を構成する外板３０Ａ〜３０Ｅと庫内内面を構成する内板３１Ａ〜３１Ｅとの間に真空断熱パネル３２を介在させて構成している。これにより断熱キャビネット２の各壁の薄型化が図れる。
【００６６】
このような真空断熱パネル３２を備えた断熱キャビネット２では、その前面開口縁部に扉などの荷重がかかると、左側壁用断熱パネル２６や右側壁用断熱パネル２７の特に前縁部が屈曲するおそれがあるが、この実施形態によれば、前記断熱キャビネット２の左側壁である左側壁用断熱パネル２６及び右側壁である右側壁用断熱パネル２７の前面開口縁部に縦補強部材５１、５１を設けたから、断熱キャビネット２の左側壁用断熱パネル２６及び右側壁用断熱パネル２７の強度を強化できて、これら左側壁用断熱パネル２６及び右側壁用断熱パネル２７が変形することを防止できる。
【００６７】
特に左右の壁の厚さは、３５ｍｍ以下の場合に特に有効であり、本実施形態では、真空断熱パネル３２が２０ｍｍ、内板及び外板の合計厚さが１．５ｍｍであって、全体厚さが２１．５ｍｍであり、さらに有効な２５ｍｍ以下の厚さとなっている。
【００６８】
又、本実施形態によれば、左側壁用断熱パネル２６の外板３０Ｂ及び右側壁用断熱パネル２７の外板３０Ｃが、断熱キャビネット２の前面開口縁部において真空断熱パネル３２前端及び内板３１Ｂ及び３１Ｃ前端よりも前側に突出して横断面が略コ字状をなすコ字状部３０ｂを有し、前記縦補強部材５１が、横断面が略コ字状をなし、前記外板３０Ｂ及び３０Ｃのコ字状部３０ｂの内面に嵌合する形態で当該各外板３０Ｂ及び３０Ｃと夫々連結されているから、共にコ字状をなす外板３０Ｂ（３０Ｃ）と縦補強部材５１とが二重にコ字状をなすことで、左側壁用断熱パネル２６及び右側壁用断熱パネル２７の強度がさらに強くなり、これら左側壁用断熱パネル２６及び右側壁用断熱パネル２７が変形を一層確実に防止できる。
【００６９】
又、本実施形態によれば、縦補強部材５１を内板３１Ｂ、３１Ｃに対して非連結状態としたから、内板３１Ｂ、３１Ｃの影響が外板３０Ｂ、３０Ｃに及ぶことがない。すなわち、前述したように、断熱キャビネット２は、製造時において、外側幅寸法Ｈｓ（図６参照）を順守するように組み立てられるものである。そして、左側壁用断熱パネル２６及び右側壁用断熱パネル２７には、厚み寸法にばらつきが発生することもある。この場合、内板３１Ｂ（あるいは３１Ｃ）が縦補強部材５１と連結されていると、この内板３１Ｂに逃げがなく、外板３０Ｂ（あるいは３０Ｃ）が変形して、前述の外側幅寸法Ｈｓが順守できなくなってしまう。しかるに、本実施形態によれば、上述したように縦補強部材５１を内板３１Ｂ、３１Ｃに対して非連結状態としたから、内板３１Ｂ、３１Ｃの影響が外板３０Ｂ、３０Ｃに及ぶことがなく、上述の外側幅寸法Ｈｓを順守できる。そして、このように外側幅寸法Ｈｓを順守できるから、この外側幅寸法Ｈｓを基準として左右長さ寸法が設定される前仕切部材１０、１１が、当初の設計通りに外板３０Ｂ、３０Ｃに取り付けられることになる。
【００７０】
又、本実施形態によれば、回転扉１５を支持する上下で一対のヒンジ部材１７ａ、７ｂのうちの一方であるヒンジ部材１７ｂを左側壁用断熱パネル２６に設け、他方であるヒンジ部材１７ａを天井壁用断熱パネル２８に設けたから、特に回転扉１５の重量負荷及び開閉時の操作負荷が大きいヒンジ部材１７ｂを縦補強部材５１により支持でき、このヒンジ部材１７ｂが下がってしまったり下方へ傾いたりすることを防止できてヒンジ軸１７ｂｊが傾いてしまうことを防止できると共に、このヒンジ部材１７ｂ部分における左側壁用断熱パネル２６の変形することを防止できる。なお、回転扉１６を上下に支持する一対のヒンジ部材１８ａ、１８ｂについても同様の効果を奏する。
【００７１】
なお、前記他方のヒンジ部材１７ａ（１８ａ）は天井壁用断熱パネル２８における左部コーナー及び右部コーナーに設けているので、回転扉１５（１６）に対する負荷に対しては強い構造となっている。
【００７２】
この場合、回転扉で開閉する貯蔵室が断熱キャビネットの下部にある場合には、前記他方のヒンジ部材１７ａ（１８ａ）は底壁用断熱パネル２９に設けても良い。
又、本実施形態によれば、左側壁用断熱パネル２６に設けられるヒンジ部材１７ｂの一部を縦補強部材５１に締結したから、ヒンジ部材１７ｂが下がってしまったり下方へ傾いたりすることを、この縦補強部材５１で直接的に防止することができる。
【００７３】
又、本実施形態によれば、縦補強部材５１の裏面に補強当て部材５６を備え、左側壁用断熱パネル２６に設けられるヒンジ部材１７ｂの一部を、上記補強当て部材５６を介して縦補強部材５１に締結したから、ヒンジ部材１７ｂを縦補強部材５１と補強当て部材５６とで支持でき、ヒンジ部材１７ｂの下がり及び下方への傾斜をさらに確実に防止できる。なお、回転扉１６を上下に支持する一対のヒンジ部材１８ａ、１８ｂについても同様の効果を奏する。
【００７４】
又、本実施形態によれば、引き出し式の扉１９、２０、２１、２２によって開閉される複数の貯蔵室として野菜室４、製氷室５、小冷凍室６、主冷凍室７を備え、これら野菜室４、製氷室５、小冷凍室６、主冷凍室７のうち、容積の大きい主冷凍室７を、他の貯蔵室この場合野菜室４、製氷室５及び小冷凍室６よりも下方に設けている。これによれば、引き出し式扉による断熱キャビネット２の変形を良好に防止できる。すなわち、引き出し式の扉１９、２０、２１、２２は、図示しないが貯蔵容器を備え、左側壁用断熱パネル２６及び右側壁用断熱パネル２７に設けたレール（扉１９、２２に対するレールは図２１に示すレール４５、扉２０、２１に対するレールについては図示していない）により出し入れ可能に支持されるから、貯蔵容器も含めた扉の重量が断熱キャビネット２にかかり、その重量は貯蔵室の容積が大きいほど大きい。この点を考慮して本実施形態では、容積の大きい主冷凍室７を、他の貯蔵室この場合野菜室４、製氷室５及び小冷凍室６よりも下方に設けることで、主冷凍室７に設けられる扉２２の重量を底壁用断熱パネル２９近くで受けることができ、つまり左側壁用断熱パネル２６及び右側壁用断熱パネル２７がもともと変形し難い箇所で扉重量を受けることができ、もって、引き出し式扉による断熱キャビネット２の変形を良好に防止できる。この場合、縦補強部材５１が存在することでさらに変形防止効果が上がる。
【００７５】
又、本実施形態によれば、断熱キャビネット２の上壁である天井壁用断熱パネル２８の後部にコンプレッサ３３が位置するのに対して、前記縦補強部材５１が、当該コンプレッサ３３よりも前の部分に位置するから、縦補強部材５１が断熱キャビネット２における前後の重量の均等化に寄与できる。
【００７６】
なお、回転扉が、断熱キャビネットの全面を開閉する構造の場合には、この回転扉を支持する上下一対のヒンジ部材のうち、一方を断熱キャビネットの上壁に設け、他方を断熱キャビネットの下壁に設ける構成としても良い。
【００７７】
図２４は第２実施形態を示している。この第２実施形態では、次の点が第１実施形態と異なる。すなわち、前記第１実施形態では、左側壁用断熱パネル２６と右側壁用断熱パネル２７と底壁用断熱パネル２９とにおける外板（外板３０Ｂ、３０Ｃ、３０Ｅ）が分割された形態であるが、この第２実施形態では、上述の外板が一枚の外板８５で構成されている。
【００７８】
なお、第１実施形態では、断熱キャビネット２を、後、左右、上下の各壁部（後壁用断熱パネル２５、左側壁用断熱パネル２６、右側壁用断熱パネル２７、天井壁用断熱パネル２８、底壁用断熱パネル２９）に分割したが、その分割形態は、後部と上壁とを一つの壁部とし、これに左側壁、右側壁を接合する形態としても良いし、その他、適宜分割形態は変更しても良い。この場合、真空断熱パネルも各壁部で一つ（平板状）としても良いし、複数の壁部にわたる形態（Ｌ字状とかコ字状）でも良い。
【００７９】
さらに断熱キャビネットの各壁部は、外板と内板との間に、真空断熱パネルと、発泡ウレタン等を適宜配置して構成しても良い。
以上説明した実施形態の冷蔵庫は、キャビネット外面を構成する外板と庫内内面を構成する内板との間に断熱パネルを介在させて構成され、前面が開口する箱形の断熱キャビネットと、前記断熱キャビネットの左側壁及び右側壁の前面開口縁部に設けた縦補強部材とを備えたことを特徴とし、これによれば、断熱キャビネットの左右側壁が変形することを防止できることを防止できる。
【００８０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変更は、発明の範囲や要旨に含まれると共に、特許請求の範囲に記載された発明とその均等の範囲に含まれる。
【符号の説明】
【００８１】
図面中、１は実施形態による冷蔵庫、２は断熱キャビネット、８は冷蔵室底板、９は断熱仕切壁、９ｃは突起部、１０、１１は前仕切部材、１７ａ、１７ｂ、１８ａ、１８ｂはヒンジ部材、２５は後壁用断熱パネル、２６は左側壁用断熱パネル（左側壁）、２７は右側壁用断熱パネル（右側壁）、２８は天井壁用断熱パネル（上壁）、２９は底壁用断熱パネル（下壁）、３０Ａ〜３０Ｅは外板、３０ｂはコ字状部、３１Ａ〜３１Ｅは内板、３２は真空断熱パネル、３３はコンプレッサ、３５はコア材、３８は包装材、４０は棚受部材、４１は冷蔵室底板用取付部材、４１ａは突出部、４１ｂは延出部、４１ｄは配置孔部、４３は仕切壁用取付部材、４３ｄは配置孔部、５１は縦補強部材、５２は上部補強部材、５６は補強当て部材、５８は仕切裏カバー、６１は補強当て部材、６３は仕切裏カバー、７１は橋架状補強部材、８１は冷蔵室底板用取付部材、８３は冷蔵室底板用取付部材、８４は橋架状補強部材を示す。
【図１】
2015158357.tif 000003
【図２】
2015158357.tif 000004
【図３】
2015158357.tif 000005
【図４】
2015158357.tif 000006
【図５】
2015158357.tif 000007
【図６】
2015158357.tif 000008
【図７】
2015158357.tif 000009
【図８】
2015158357.tif 000010
【図９】
2015158357.tif 000011
【図１０】
2015158357.tif 000012
【図１１】
2015158357.tif 000013
【図１２】
2015158357.tif 000014
【図１３】
2015158357.tif 000015
【図１４】
2015158357.tif 000016
【図１５】
2015158357.tif 000017
【図１６】
2015158357.tif 000018
【図１７】
2015158357.tif 000019
【図１８】
2015158357.tif 000020
【図１９】
2015158357.tif 000021
【図２０】
2015158357.tif 000022
【図２１】
2015158357.tif 000023
【図２２】
2015158357.tif 000024
【図２３】
2015158357.tif 000025
【図２４】
2015158357.tif 000026